(57)【要約】【課題】雑音発生時に、発音装置が発する音声の音量をユーザが聴き取りやすい音量に簡単に調節する。【解決手段】ＴＶシステム１０において、テレビジョン２０（発音装置）が発する音声をテレビジョン２０の直近で計測し、テレビジョン２０が発する音声と雑音とが混じった混合音声をリモコン１００で計測する。そして、テレビジョン２０が発する音声と混合音声とに基づいて、リモコン１００の位置でのテレビジョン２０が発する音声と雑音との音量バランスが基準バランスに近づくように調節する。【選択図】        図５
2012049634.tif 000002
【特許請求の範囲】
【請求項１】
音声信号に基づいた音声を、通信媒体を介した指示によって調節された音量で発する発音装置が発する第１音声を観測する音声観測部と、
前記音声観測部の観測によって得られた第１音声を通信媒体を介して送信する音声送信部とを有する観測装置；および、
前記発音装置が発した第１音声と、該発音装置以外の発生源からの第２音声とが混じった混合音声を計測する音声計測部と、
前記音声送信部から送信されてきた第１音声を受信する音声受信部と、
前記発音装置に通信媒体を介して、前記音声受信部で受信された第１音声および前記音声計測部で計測された混合音声に基づいて指示することにより、該発音装置が発する音声の音量を、指示後の前記混合音声における前記第１音声と前記第２音声との音量バランスが、予め決められた基準バランスに近づくように調節する音量調節部とを有する調節装置；
を備えたことを特徴とする音量調節システム。
【請求項２】
前記音量調節部が、
前記音声受信部で受信された第１音声および前記音声計測部で計測された混合音声に基づいて、該混合音声における前記音量バランスを算出するバランス算出部と、
前記音量バランスについて、前記基準バランスを含む基準範囲を記憶する基準範囲記憶部と、
前記発音装置が発する音声の音量を、前記混合音声における音量バランスが前記基準バランスに近づくように調節する調節部と、
前記バランス算出部が算出した音量バランスが前記基準範囲から外れた場合に、前記調節部に音量の調節を開始させる調節開始部とを有するものであることを特徴とする請求項１記載の音量調節システム。
【請求項３】
前記音量調節部が、
ユーザから初期設定を指示する操作を受けて、前記音声計測部に該操作時の混合音声を計測させるとともに、前記音量受信部に該操作時の第１音声を受信させ、その計測された混合音声の音量を、その受信された第１音声の音量で除した係数を初期設定値として算出する係数算出部と、
前記係数算出部で算出された係数を記憶する係数記憶部とを有し、
前記バランス算出部が、前記音量受信部で受信された第１音声の音量に前記係数を乗じた音量を、前記混合音声における前記第１音声の音量として扱うことで前記音量バランスを算出するものであることを特徴とする請求項２記載の音量調節システム。
【請求項４】
前記音量調節部が、
前記基準バランスを含むが前記基準範囲よりも狭い目標範囲を記憶する目標範囲記憶部を有するものであり、
前記調節部は、前記バランス算出部で前記目標範囲内の音声バランスが算出されるまで、前記発音装置が発する音声の音量調節を繰り返すものであることを特徴とする請求項２又は３記載の音量調節システム。
【請求項５】
音声信号に基づいた音声を、通信媒体を介した指示によって調節された音量で発する発音装置；
前記発音装置が発する第１音声を観測する音声観測部と、
前記音声観測部の観測によって得られた第１音声を通信媒体を介して送信する音声送信部とを有する観測装置；および、
前記発音装置が発した第１音声と、該発音装置以外の発生源からの第２音声とが混じった混合音声を計測する音声計測部と、
前記音声送信部から送信されてきた第１音声を受信する音声受信部と、
前記発音装置に通信媒体を介して、前記音声受信部で受信された第１音声および前記音声計測部で計測された混合音声に基づいて指示することにより、該発音装置が発する音声の音量を、指示後の前記混合音声における前記第１音声と前記第２音声との音量バランスが、予め決められた基準バランスに近づくように調節する音量調節部とを有する調節装置；
を備えたことを特徴とする発音システム。
【発明の詳細な説明】
【技術分野】
【０００１】
本件は、テレビジョン、ラジオ、オーディオ装置等といった発音装置が発する音声の音量を調節する音量調節システム、及び、そのような調節機能を有した発音システムに関する。
【背景技術】
【０００２】
リモートコントローラ（リモコン）によって、テレビジョン、ラジオ、オーディオ装置等といった発音装置の音量等が調節される発音システムが普及している（例えば、特許文献１〜４参照）。このような発音システムでは、ユーザは、視聴中に周囲に雑音が発生した際にリモコンを適宜に操作して聴き取りやすいレベルまで音量を増大させ、雑音が減少したら喧しくないレベルまで音量も減少させることとなる。しかし、このような操作に煩わしさを感じるユーザも少なくない。
【先行技術文献】
【特許文献】
【０００３】
【特許文献１】特開平０５−１１０８９号公報
【特許文献２】特開平１０−０６６１８５号公報
【特許文献３】特開２００３−３０４５９０号公報
【特許文献４】特開２００８−０５３９８６号公報
【発明の概要】
【発明が解決しようとする課題】
【０００４】
従来、例えば雑音とは位相が逆転した音を用いて雑音を打ち消す等といった、雑音自体を消去する技術が提案されている。しかし、雑音自体を消去するこのような技術は、電車やトラックによる騒音、調理や食器洗浄等の家事による騒音といった大きな雑音に対しては必ずしも有効ではないのが現状である。このため、雑音自体を消去する技術を用いても、上記のような大きな雑音が発生した場合には、結局はユーザが自分でリモコンを操作して音量を調節しなければならなくなる可能性が高い。
【０００５】
本件は上記事情に鑑み、雑音発生時に、発音装置が発する音声の音量をユーザが聴き取りやすい音量に簡単に調節することができる音量調節システム、及び発音システムを提供することを目的とするものである。
【課題を解決するための手段】
【０００６】
上記目的を達成する音量調節システムは、観測装置および調節装置を備えている。
【０００７】
観測装置は、音声観測部と音声送信部とを有している。
【０００８】
音声観測部は、音声信号に基づいた音声を、通信媒体を介した指示によって調節された音量で発する発音装置が発する第１音声を観測するものである。
【０００９】
音声送信部は、上記音声観測部の観測によって得られた第１音声を通信媒体を介して送信するものである。
【００１０】
調節装置は、音声計測部と音声受信部と音量調節部とを有している。
【００１１】
音声計測部は、上記発音装置が発した第１音声と、その発音装置以外の発生源からの第２音声とが混じった混合音声を計測するものである。
【００１２】
音声受信部は、上記音声送信部から送信されてきた第１音声を受信するものである。
【００１３】
音量調節部は、上記発音装置に通信媒体を介して、上記音声受信部で受信された第１音声および上記音声計測部で計測された混合音声に基づいて指示することにより、その発音装置が発する音声の音量を、次のように調節する。即ち、音量調節部は、発音装置が発する音声の音量を、指示後の上記混合音声における上記第１音声と上記第２音声との音量バランスが、予め決められた基準バランスに近づくように調節する。
【００１４】
また、上記目的を達成する発音システムは、上記発音装置、上記観測装置、および上記調節装置を備えている。
【発明の効果】
【００１５】
本件によれば、雑音発生時に、発音装置が発する音声の音量をユーザが聴き取りやすい音量に簡単に調節することができる。
【図面の簡単な説明】
【００１６】
【図１】音量調節システムおよび発音システムの第１実施形態を示す模式図である。
【図２】音量調節システムおよび発音システムの第２実施形態であるテレビジョンシステム（ＴＶシステム）を示す模式図である。
【図３】図２に示すリモコンが置かれた位置における音声の波形を模式的に示す図である。
【図４】図２に示すリモコン及び観測装置それぞれのハードウェア構成を示す図である。
【図５】図２に示す音量調節システムを、テレビジョン２０への自動音量調節機能に注目して示す機能ブロック図である。
【図６】係数決定処理の流れを示すフローチャートである。
【図７】範囲決定処理の流れを示すフローチャートである。
【図８】下限決定処理の流れを示すフローチャートである。
【図９】自動音量調節の処理の流れを示すフローチャートである。
【図１０】自動音量調節の処理によるＳＮ比の変化を示したグラフである。
【発明を実施するための形態】
【００１７】
以下、本件の音量調節システムおよび発音システムの具体的な実施形態について、図面を参照して説明する。
【００１８】
図１は、音量調節システムおよび発音システムの第１実施形態を示す模式図である。
【００１９】
この図１に示す発音システム１は、発音装置２、観測装置１Ａ、および調節装置１Ｂを備えている。観測装置１Ａと調節装置１Ｂとを合わせたものが、本件の音量調節システムの一実施形態に相当する。
【００２０】
発音装置２は、音声信号に基づいた音声を、通信媒体を介した指示によって調節された音量で発するものである。
【００２１】
観測装置１Ａは、音声観測部１Ａ＿１と音声送信部１Ａ＿２とを有している。
【００２２】
音声観測部１Ａ＿１は、上記発音装置２が発する第１音声を観測するものである。
【００２３】
尚、ここでいう観測は、発音装置２が発する音声をモニタするという意味である。この観測は、発音装置２が発する音声そのものを計測することであっても良い。あるいは、この観測は、例えば発音装置２内でスピーカに入力される、上記の通信媒体を介した音量調節が反映された音声信号を計測することであっても良い。
【００２４】
音声送信部１Ａ＿２は、上記音声観測部１Ａ＿１の観測によって得られた第１音声を通信媒体を介して送信するものである。
【００２５】
調節装置１Ｂは、音声計測部１Ｂ＿１と音声受信部１Ｂ＿２と音量調節部１Ｂ＿３とを有している。
【００２６】
音声計測部１Ｂ＿１は、上記発音装置２が発した第１音声と、その発音装置２以外の発生源からの第２音声とが混じった混合音声を計測するものである。
【００２７】
音声受信部１Ｂ＿２は、上記音声送信部１Ａ＿２から送信されてきた第１音声を受信するものである。
【００２８】
音量調節部１Ｂ＿３は、上記発音装置２に通信媒体を介して、上記音声受信部１Ｂ＿２で受信された第１音声および上記音声計測部１Ｂ＿１で計測された混合音声に基づいて指示することにより、その発音装置２が発する音声の音量を、次のように調節する。即ち、音量調節部１Ｂ＿３は、その音量を、指示後の上記混合音声における上記第１音声と上記第２音声との音量バランスが、予め決められた基準バランスに近づくように調節する。
【００２９】
この図１の発音システム１では、音量調節対象の発音装置２が発する第１音声が観測される。さらに、この第１音声と、発音装置２以外の発生源からの第２音声、即ち、上記第１音声に対する雑音との混合音声が計測される。そして、第１音声と混合音声とに基づいて、第１音声と第２の音声（雑音）との音量バランスが、予め決められた基準バランスとなるように発音装置２が発する音声の音量が調節される。
【００３０】
この発音システム１によれば、雑音環境下でユーザが発音装置２からの音声を聴き取りやすい音量バランスを基準バランスとして採用する等といった運用により、発音装置２が発する音声の音量をユーザが聴き取りやすい音量に簡単に調節することができる。
【００３１】
図２は、音量調節システムおよび発音システムの第２実施形態であるテレビジョンシステム（ＴＶシステム）を示す模式図である。
【００３２】
この図２のＴＶシステム１０は、テレビジョン２０と、チャンネル選択や音量調節等を、赤外線通信を用いてワイヤレスでテレビジョン２０に指示するためのリモコン１００と、テレビジョン２０の直近に配置される観測装置２００とを備えている。テレビジョン２０が、音声信号に基づいた音声を、通信媒体を介した指示によって調節された音量で発する発音装置の一例に相当する。そして、リモコン１００と観測装置２００とを合わせたものが、本件の音量調節システムの一実施形態に相当する。また、この図２のＴＶシステム１０における、赤外線通信を用いたワイヤレスでの指示が、通信媒体を介した指示の一例に相当する。
【００３３】
尚、本実施形態では、上記の発音装置の一例としてテレビジョン２０を例示したが、発音装置は、テレビジョンに限るものではなく、例えば、ラジオ、オーディオ機器、スピーカ内蔵のコンピュータ等であっても良い。
【００３４】
リモコン１００は、詳細については後述するようにマイクロホンを内蔵している。そして、リモコン１００では、そのリモコン１００の置かれた位置における音声がそのマイクロホンで計測される。多くの場合、このリモコン１００は、テレビジョン２０を視聴するユーザの傍に置かれる。このため、このリモコン１００では、雑音Ｎの発生時には、リモコン１００の位置まで伝搬してきたテレビジョン２０の音声Ｓと、その雑音Ｎとを合わせた混合音声Ｓ＋Ｎが計測される。
【００３５】
図３は、図２に示すリモコンが置かれた位置における混合音声の波形を模式的に示す図である。
【００３６】
この図３のパート（Ａ）には、雑音Ｎが小さい場合の混合音声Ｓ＋Ｎの波形が実線で示されている。また、パート（Ｂ）には、雑音Ｎが大きい場合の混合音声Ｓ＋Ｎの波形が実線で示されている。また、パート（Ａ）及びパート（Ｂ）の双方では、混合音声Ｓ＋Ｎに含まれているテレビジョン２０の音声Ｓが点線で示されている。
【００３７】
雑音Ｎが小さい場合には、パート（Ａ）に示すようにリモコン１００の位置での混合音声Ｓ＋Ｎは、テレビジョン２０の音声Ｓに対してそれほどの差異が無い。このため、リモコン１００の傍に居るユーザは、雑音Ｎを気にすることなくテレビジョン２０の音声Ｓを聴くことができる。一方、雑音Ｎが大きい場合には、パート（Ｂ）に示すように混合音声Ｓ＋Ｎが、テレビジョン２０の音声Ｓに対して大きく歪むこととなる。その結果、ユーザにとってテレビジョン２０の音声Ｓが聴き取りにくくなってしまう。
【００３８】
ここで、図２に示す観測装置２００が配置される位置は、上記のようにテレビジョン２０の直近である。このため、観測装置２００の位置では、周囲に雑音Ｎがあったとしても、その雑音Ｎに対してテレビジョン２０の音声Ｓが相対的に非常に大きくなる。さらに、観測装置２００には、指向性を有するマイクロホンが内蔵されている。その結果、この観測装置２００では、マイクロホンの指向性がテレビジョン２０側を向くように配置されることで、ほぼテレビジョン２０の音声Ｓと見做せる音声が安定的に計測される。
【００３９】
一方、テレビジョン２０から離れた位置に置かれるリモコン１００では、テレビジョン２０の音声Ｓについては、リモコン１００の位置までの伝搬により減衰したものが計測される。また、リモコン１００に内蔵されているマイクロホンは無指向性である。このため、リモコン１００の位置では、周囲の雑音Ｎが、テレビジョン２０の音声Ｓに対して無視できないほどに大きくなる場合がある。その結果、リモコン１００では、上記の観測装置２００とは異なりテレビジョン２０の音声Ｓと雑音Ｎとの混合音声Ｓ＋Ｎが計測されることとなる。
【００４０】
図２のＴＶシステム１０では、観測装置２００が計測結果をリモコン１００に送信する。そして、リモコン１００において、このリモコン１００の位置での音声の計測結果と、観測装置２００から送信されてきた計測結果とに基づいて、テレビジョン２０に対する音量の調節が行われる。
【００４１】
図４は、図２に示すリモコン及び観測装置それぞれのハードウェア構成を示す図である。
【００４２】
この図４のパート（Ａ）には、リモコン１００のハードウェア構成が示されている。また、パート（Ｂ）には、観測装置２００のハードウェア構成が示されている。
【００４３】
リモコン１００は、制御ＩＣ（Ｉｎｔｅｇｒａｔｅｄ  Ｃｉｒｃｕｉｔ）１０１、メモリ１０２、操作ボタン１０３、マイクロホン１０４、Ａ／Ｄ変換回路１０５、無線通信機１０６、及び赤外線通信機１０７を備えている。
【００４４】
制御ＩＣ１０１は、このリモコン１００の動作全体を制御する。メモリ１０２は、各種動作プログラムや、プログラムの動作時に使用されるパラメータ等を記憶する。操作ボタン１０３は、テレビジョン２０のチャンネル選択や音量調節等の際にユーザによって押圧操作される。マイクロホン１０４は、無指向性で、そのマイクロホン１０４の周辺、即ちリモコン１００の周辺の音声を計測し、その計測した音声に応じたアナログの電圧信号を出力する。Ａ／Ｄ変換回路１０５は、まず、マイクロホン１０４の出力信号を、その出力信号が表す音声波形の振幅を表すアナログ値、即ち音量を表すアナログ値に変換する。そして、Ａ／Ｄ変換回路１０５は、その音量を表すアナログ値をデジタル信号に変換する。無線通信機１０６は、ブルートゥース（登録商標）によるデータ転送方式でリモコン１００外部と無線通信を行う。赤外線通信機１０７は、リモコン１００外部と赤外線を用いた通信を行う。
【００４５】
このリモコン１００は、操作ボタン１０３に対するユーザのボタン操作に応じて、テレビジョン２０へのチャンネル選択指示や音量調節等を、赤外線通信を用いてワイヤレスで行う。さらに、このリモコン１００は、後述するように、テレビジョン２０への赤外線通信を用いたワイヤレスでの音量の調節を自動で行う。
【００４６】
図４のパート（Ｂ）に示すように、観測装置２００は、制御ＩＣ２０１、マイクロホン２０２、Ａ／Ｄ変換回路２０３、及び無線通信機２０４を備えている。
【００４７】
制御ＩＣ２０１は、この観測装置２００の動作全体を制御する。マイクロホン２０２は、指向性を有し、その指向性の方向からの音声を計測し、その計測した音声の音量に応じたアナログの電圧信号を出力する。Ａ／Ｄ変換回路２０３は、まず、マイクロホン２０２の出力信号を、その出力信号が表す音声波形の振幅を表すアナログ値、即ち音量を表すアナログ値に変換する。そして、Ａ／Ｄ変換回路２０３は、その音量を表すアナログ値をデジタル信号に変換する。無線通信機２０４は、ブルートゥース（登録商標）によるデータ転送方式で観測装置２００外部と無線通信を行う。
【００４８】
この観測装置２００は、電源が投入されている間中、音声をマイクロホン２０２で計測し、計測結果を、音量を表すデジタル信号に変換して随時に無線送信する。この無線送信された信号は、リモコン１００の無線通信機１０６で受信される。これにより、観測装置２００で計測された音声が、リモコン１００に音量の形で伝えられる。そして、その伝えられた音声の音量が、リモコン１００のマイクロホン１０４で計測された音声の音量と共に、テレビジョン２０への自動の音量調節に供される。
【００４９】
図５は、図２に示す音量調節システムを、テレビジョン２０への自動音量調節機能に注目して示す機能ブロック図である。
【００５０】
この図５に示すように観測装置２００は、自動音量調節機能を担う機能ブロックとして、ＴＶ側測音部２１０と音声送信部２２０とを備えている。
【００５１】
観測装置２００は、マイクロホン２０２の指向性がテレビジョン２０側を向くようにそのテレビジョン２０の直近に配置される。
【００５２】
ＴＶ側測音部２１０は、観測装置２００の位置（テレビジョン２０の直近）でテレビジョン２０からの音声を随時に計測して音量を表す信号を求める。このＴＶ側測音部２１０は、ハードウェアとしては、図４のパート（Ｂ）に示す制御ＩＣ２０１、マイクロホン２０２、及びＡ／Ｄ変換回路２０３が担っている。このＴＶ側測音部２１０が、発音装置が発する第１音声を観測する音声観測部の一例に相当する。
【００５３】
尚、本実施形態では、発音装置（テレビジョン２０）が発する音声の観測が、その音声をマイクロホンで計測することによって行われる。しかしながら、この観測は、音声の計測に限るものではない。観測は、例えば、音量調節が反映された信号であって発音装置内でスピーカに入力される音声信号を計測することによって行われても良い。
【００５４】
音声送信部２２０は、ＴＶ側測音部２１０で求められた音量を表す信号をブルートゥース（登録商標）によるデータ転送方式を用いてワイヤレスで送信する。この音声送信部２２０は、ハードウェアとしては、図４のパート（Ｂ）に示す無線通信機２０４が担っている。この音声送信部２２０が、音声観測部の観測によって得られた第１音声を通信媒体を介して送信する音声送信部の一例に相当する。また、この音声送信部２２０による、ブルートゥース（登録商標）によるデータ転送方式を用いたワイヤレスでの送信が、通信媒体を介した送信の一例に相当する。
【００５５】
以上に説明した観測装置２００が、音声観測部と音声送信部とを有する観測装置の一例に相当する。
【００５６】
リモコン１００は、図５に示すように、自動音量調節を担う機能ブロックとして、リモコン側測音部１１０、音声受信部１２０、及び音量調節部１３０を備えている。
【００５７】
さらに、音量調節部１３０が、操作音量調節部１３１、バランス算出部１３２、記憶部１３３、範囲決定部１３４、係数決定部１３５、下限決定部１３６、及び自動音量調節部１３７を備えている。
【００５８】
これらの機能ブロックのうち記憶部１３３を除くものについては、図４に示すリモコン１００の制御ＩＣ１０１が、メモリ１０２内に格納されている不図示の動作プログラムに従って動作することにより構築される。
【００５９】
リモコン側測音部１１０は、リモコン１００の周辺の音声を随時に計測して音量を表す信号を求める。このリモコン側測音部１１０は、ハードウェアとしては、図４のパート（Ａ）に示す制御ＩＣ１０１、マイクロホン１０４、及びＡ／Ｄ変換回路１０５が担っている。このリモコン側測音部１１０が、発音装置が発した第１音声と、発音装置以外の発生源からの第２音声とが混じった混合音声を計測する音声計測部の一例に相当する。
【００６０】
音声受信部１２０は、観測装置２００の音声送信部２２０から送信されてきた信号をブルートゥース（登録商標）によるデータ転送方式で受信する。この音声受信部１２０は、ハードウェアとしては、図４のパート（Ａ）に示す無線通信機１０６が担っている。この音声送信部２２０が、音声送信部から送信されてきた第１音声を受信する音声受信部の一例に相当する。
【００６１】
音量調節部１３０は、音声受信部１２０で受信された信号が表す音量と、リモコン側測音部１１０で求められた音量とに基づいて、テレビジョン２０に対し、赤外線通信を用いたワイヤレスでの音量調節を行う。この音量調節は、後述するように、リモコン１００の位置におけるテレビジョン２０からの音声と雑音との音量バランスが、予め決められた基準バランスに近づくように行われる。音量調節部１３０は、ハードウェアとしては、図４のパート（Ａ）に示す制御ＩＣ１０１、メモリ１０２、及び操作ボタン１０３が担っている。この音量調節部１３０が、発音装置に通信媒体を介して指示することにより、発音装置が発する音声の音量を調節する音量調節部の一例に相当する。また、この音量調節部１３０による赤外線通信を用いたワイヤレスでの音量調節が、通信媒体を介して指示することによる音量調節の一例に相当する。
【００６２】
上記のように、この音量調節部１３０は、操作音量調節部１３１、バランス算出部１３２、記憶部１３３、範囲決定部１３４、係数決定部１３５、下限決定部１３６、及び自動音量調節部１３７を備えている。
【００６３】
操作音量調節部１３１は、ユーザの操作を受けて、テレビジョン２０が発する音声の音量を、その操作に応じて赤外線通信を用いてワイヤレスで調節する。この操作音量調節部１３１は、基本的には、いわば手動での音量調節の際に機能するものであるが、自動音量調節の際に使われる後述の基準範囲等をユーザ操作を受けて決定する際にも機能する。この操作音量調節部１３１は、ハードウェアとしては、図４のパート（Ａ）に示す制御ＩＣ１０１、操作ボタン１０３、及び赤外線通信機１０７が担っている。
【００６４】
バランス算出部１３２は、リモコン側測音部１１０で求められた音声の音量と、音声受信部１２０で受信された信号が表す音声の音量とに基づいて、リモコン１００の位置の音声における、テレビジョン２０の音声と雑音とのＳＮ比を３秒毎に算出する。このバランス算出部１３２は、ハードウェアとしては、図４のパート（Ａ）に示す制御ＩＣ１０１が担っている。このバランス算出部１３２によるＳＮ比の算出処理の詳細については後述する。
【００６５】
記憶部１３３は、以下に説明する基準範囲、目標範囲、係数、及び下限を記憶する。
【００６６】
基準範囲は、ＳＮ比についての範囲である。この範囲は、ユーザにとってテレビジョン２０の音声が聴き取りやすいときのＳＮ比である後述の基準バランスを含む範囲となっている。本実施形態では、バランス算出部１３２で３秒毎に算出されるＳＮ比がこの基準範囲の上限を上回るとテレビジョン２０への音量増が指示される。また、ＳＮ比がその範囲の下限を下回るとテレビジョン２０への音量減が指示される。この基準範囲の上限は、リモコン１００の傍に居るユーザにとって、テレビジョン２０の音声に対して雑音が大き過ぎて気になりだすＳＮ比である。また、この基準範囲の下限は、雑音が静かであるにも係らずテレビジョン２０の音声が大き過ぎて喧しいと感じるようになるＳＮ比である。
【００６７】
目標範囲は、ＳＮ比についての、上記の基準範囲内でのさらに狭い範囲である。本実施形態では、バランス算出部１３２で３秒毎に算出されるＳＮ比がこの目標範囲内に収まるまでテレビジョン２０への音量増あるいは音量減が繰り返し指示される。
【００６８】
この目標範囲は、基準バランスを含んだ、上記の基準範囲よりも狭い範囲であり、リモコン１００の傍に居るユーザにとってテレビジョン２０の音声が十分に聴き取りやすいＳＮ比の範囲である。この目標範囲の幅は、この目標範囲内であればＳＮ比の変化がユーザにとってはほとんど感知できない程度に十分に狭い幅となっている。
【００６９】
係数は、テレビジョン２０を発した音声がリモコン１００の位置まで伝搬する際の減衰分を表す係数である。本実施形態では、観測装置２００から無線で伝えられたテレビジョン２０直近での音声の音量にこの係数を乗じたものが、ＳＮ比の算出の際に、リモコン１００の位置でのテレビジョン２０の音声の音量として扱われる。
【００７０】
下限は、リモコン１００の位置での音量の下限である。この下限は、リモコン１００の傍に居るユーザにとってテレビジョン２０の音量が小さ過ぎて、雑音がなかったとしても聴き取り難くなる限界の音量である。
【００７１】
これら基準範囲、目標範囲、係数、及び下限は、いずれも出荷段階では、設計時に予め決められたデフォルト値が記憶部１３３に記憶されている。そして、ユーザの操作を受けて後述の初期設定処理が実行されると、記憶部１３３内の基準範囲、目標範囲、係数、及び下限が、その初期設定処理で決められた値に更新される。また、本実施形態では、初期設定処理は何度でも行うことができ、記憶部１３３内の基準範囲、目標範囲、係数、及び下限は、初期設定処理の度に更新されることとなる。記憶部１３３は、ハードウェアとしては、図４のパート（Ａ）に示すメモリ１０２が担っている。
【００７２】
範囲決定部１３４、係数決定部１３５、及び下限決定部１３６は、それぞれ初期設定処理の際に機能するブロックである。また、この初期設定処理の際には、上記のように操作音量調節部１３１も機能する。
【００７３】
範囲決定部１３４は、初期設定処理において操作音量調節部１３１を介してユーザの操作を受けて上記の基準範囲と目標範囲とを決定する。係数決定部１３５は、初期設定処理において操作音量調節部１３１を介してユーザの操作を受けて上記の係数を決定する。下限決定部１３６は、初期設定処理において操作音量調節部１３１を介してユーザの操作を受けて上記の下限を決定する。これら３つの機能ブロックは、いずれも、ハードウェアとしては、図４のパート（Ａ）に示す制御ＩＣ１０１が担っている。
【００７４】
以下、初期設定処理について説明する。
【００７５】
本実施形態では、リモコン１００が、操作ボタン１０３として、音量調節ボタン、初期設定開始ボタン、範囲決定ボタン、係数決定ボタン、下限決定ボタン、自動音量調節指示ボタンを有している。初期設定処理は、ユーザが初期設定開始ボタンを操作するとスタートする。
【００７６】
尚、本実施形態では、この初期設定処理では、上記の係数を決定する係数決定処理、上記の下限を決定する下限決定処理、および、上記の基準範囲と目標範囲とを決定する範囲決定処理の３つの処理がある。そして、マニュアルにより、これら３つの処理を、係数決定処理、下限決定処理、範囲決定処理の順で実行するように各処理の操作手順とともに指示されているものとする。
【００７７】
図６は、係数決定処理の流れを示すフローチャートである。
【００７８】
このフローチャートが示す係数決定処理では、まず、マニュアルの指示に従ってユーザが音量調節ボタンを操作して、テレビジョン２０の音声の音量を若干大きめに調節する（ステップＳ１０１）。そして、音量が所望の音量となった時点で、ユーザが係数決定ボタンを操作する。すると、観測装置２００からの随時の信号が表す音声の音量と、リモコン側測音部１１０で随時に求められる音声の音量とを、係数決定部１３５が、所定数サンプリングする（ステップ１０２）。
【００７９】
次に、係数決定部１３５は、サンプリングしたリモコン側測音部１１０側の音量の平均値を、観測装置２００側の音量の平均値で除することで係数を求める（ステップ１０３）。そして、係数決定部１３５は、記憶部１３３に記憶されている係数を、算出した係数に更新する（ステップＳ１０４）。その後、この係数決定処理が終了する。
【００８０】
リモコン１００には、係数決定処理、下限決定処理、範囲決定処理それぞれ毎に、処理の終了を点灯でユーザに通知する不図示のＬＥＤ表示部が設けられている。上述した係数決定処理が終了すると、係数決定処理の終了通知用のＬＥＤ表示部が点灯してユーザにその旨を通知し、続いて、下限決定処理が実行される。
【００８１】
図７は、下限決定処理の流れを示すフローチャートである。
【００８２】
この下限決定処理で決定される下限は、上述したように、テレビジョン２０の音量が小さ過ぎて、雑音がなかったとしても聴き取り難くなる限界の音量である。
【００８３】
このフローチャートが示す下限決定処理では、まず、マニュアルの指示に従ってユーザが音量調節ボタンを操作して、テレビジョン２０の音声の音量を、上記のように限界と感じる下限音量に調節する（ステップＳ２０１）。そして、音量が所望の音量となった時点で、ユーザが下限決定ボタンを操作する。すると、観測装置２００からの随時の信号が表す音声の音量を、下限決定部１３６が所定数サンプリングする（ステップ２０２）。
【００８４】
そして、下限決定部１３６は、サンプリングしたリモコン側測音部１１０側の音量の平均値を下限として算出し、記憶部１３３に記憶されている下限を、その算出した下限に更新する（ステップＳ２０３）。その後、この下限決定処理が終了する。
【００８５】
下限決定処理が終了すると、下限決定処理の終了通知用のＬＥＤ表示部が点灯してユーザにその旨を通知し、続いて、範囲決定処理が実行される。
【００８６】
図８は、範囲決定処理の流れを示すフローチャートである。
【００８７】
このフローチャートが示す範囲決定処理では、まず、マニュアルの指示に従ってユーザが音量調節ボタンを操作して、テレビジョン２０の音声の音量を、聴き取りやすい音量に調節する（ステップＳ３０１）。そして、音量が所望の音量となった時点で、ユーザが範囲決定ボタンを操作する。すると、観測装置２００からの随時の信号が表す音声の音量と、リモコン側測音部１１０で随時に求められる音声の音量とを、範囲決定部１３４が、所定数サンプリングする（ステップ３０２）。
【００８８】
続いて、範囲決定部１３４が、リモコン１００の位置における、テレビジョン２０の音声と雑音とのＳＮ比を次のように算出する（ステップＳ３０３）。
【００８９】
範囲決定部１３４は、まず、サンプリングした観測装置２００側の音量の平均値に、上記の係数決定処理で決定され記憶部１３３に記憶された係数を乗じる。本実施形態では、この乗算の結果が、リモコン１００の位置におけるテレビジョン２０の音声の音量として扱われる。次に、範囲決定部１３４は、サンプリングしたリモコン側測音部１１０側の音量の平均値から上記の乗算結果を減ずる。本実施形態では、この減算の結果が、リモコン１００の位置における雑音の音量として扱われる。そして、範囲決定部１３４は、上記の減算結果（雑音の音量）を、上記の乗算結果（テレビジョン２０の音声の音量）で除することによりＳＮ比を求める。本実施形態では、このＳＮ比がデシベル表現で算出される。範囲決定部１３４は、この算出したＳＮ比を基準バランスとしてメモリ１０２に記憶させる。
【００９０】
次に、範囲決定部１３４は、基準バランスに０．１７６ｄＢを加えた値（基準バランス＋０．１７６ｄＢ）と、基準バランスから０．１７６ｄＢを減じた値（基準バランス−０．１７６ｄＢ）とを、基準範囲を表した上下限値として求める（ステップＳ３０４）。
【００９１】
さらに、範囲決定部１３４は、基準バランスに０．０５ｄＢを加えた値（基準バランス＋０．０５ｄＢ）と、基準バランスから０．０５ｄＢを減じた値（基準バランス−０．０５ｄＢ）とを、目標範囲を表した上下限値として求める（ステップＳ３０５）。
【００９２】
そして、範囲決定部１３４は、記憶部１３３に記憶されている基準範囲と目標範囲とを、上記のように求めた基準範囲と目標範囲に更新する（ステップＳ３０６）。その後、この範囲決定処理が終了する。
【００９３】
範囲決定処理が終了すると、範囲決定処理の終了通知用のＬＥＤ表示部が点灯してユーザにその旨を通知する。この範囲決定処理の終了をもって初期設定処理が終了する。ユーザは、範囲決定処理の終了通知用のＬＥＤ表示部が点灯するのを見て、初期設定処理が全て終了したことを認識する。
【００９４】
本実施形態では、ユーザが自動音量調節指示ボタンを操作すると自動音量調節が開始される。ユーザは、テレビジョン２０および観測装置２００に電源が投入された後、上記の初期設定処理の実行を経て自動音量調節を開始させても良い。あるいは、電源投入後に直ぐに自動音量調節指示ボタンを操作することで、初期設定処理を省略して自動音量調節を開始させても良い。初期設定処理が省略された場合には、自動音量調節では、デフォルト値または過去の初期設定処理での設定値がそのまま使われることとなる。
【００９５】
初期設定処理の実行を経て自動音量調節が開始された場合には、この自動音量調節開始時点のテレビジョン２０の音量は、範囲決定部のステップＳ３０１で調節された、リモコン１００の傍に居るユーザが聴き取りやすいと感じる音量になっている。
【００９６】
また、初期設定処理が省略されたときの自動音量調節開始時点のテレビジョン２０の音量は、電源投入後にユーザ操作によって音量が調節された場合にはその調節された音量となる。電源投入後直ぐに自動音量調節が開始された場合には、自動音量調節開始時点のテレビジョン２０の音量は、前回電源が遮断された時点での設定音量となる。
【００９７】
自動音量調節は、バランス算出部１３２による３秒毎のＳＮ比の算出と、以下に説明する自動音量調節部１３７の動作によって行われる。
【００９８】
自動音量調節部１３７は、バランス算出部１３２で算出されたＳＮ比が、上記の基準範囲外の値となった場合に、テレビジョン２０に対して音量の増減を指示するものである。この音量調節は、基本的には、バランス算出部１３２で算出されるＳＮ比が上記の目標範囲内に収まるまで続けられる。ただし、音量減の指示については、自動音量調節部１３７は、リモコン側測音部１１０での計測結果が上記の下限を超えるように行われる。この自動音量調節部１３７は、ハードウェアとしては、図４のパート（Ａ）に示す制御ＩＣ１０１及び無線通信機１０６によって担われている。
【００９９】
以下、自動音量調節について、重複する部分もあるがフローチャートを参照して説明する。
【０１００】
図９は、自動音量調節の処理の流れを示すフローチャートである。
【０１０１】
このフローチャートが示す自動音量調節処理がスタートすると、バランス算出部１３２が、観測装置２００からの随時の信号が表す音量と、リモコン側測音部１１０で随時に求められる音量とを３秒間隔でサンプリングする。さらに、バランス算出部１３２は、各サンプリングの度に、それらの音量に基づいてＳＮ比を算出する（ステップ４０１）。
【０１０２】
このステップ４０１では、バランス算出部１３２は、まず、サンプリングした観測装置２００側の音量に上記の係数を乗じて、リモコン１００の位置でのテレビジョン２０の音声の音量を求める。さらに、バランス算出部１３２は、サンプリングしたリモコン側測音部１１０側の音量から、上記のように係数を乗じて求めた音量を減じて、リモコン１００の位置での雑音の音量を求める。そして、バランス算出部１３２は、雑音の音量をテレビジョン２０音声の音量で除してＳＮ比を求める。バランス算出部１３２は、サンプリングからＳＮ比の算出までの処理を３秒間隔で繰り返し実行する。
【０１０３】
本実施形態では、自動音量調節の実行中に自動音量調節指示ボタンが再度ユーザによって操作されると、その時点で処理に割り込みが掛けられる（ステップＳ４０２）。そして、この割り込みが掛けられた場合に（ステップＳ４０２おけるＹｅｓ判定）、自動音量調節の処理が終了することとなる。一方で、このような割り込みが掛けられない限り（ステップＳ４０２おけるＮｏ判定）、上記のサンプリングからＳＮ比の算出までの処理が、バランス算出部１３２によって３秒間隔で繰り返される。
【０１０４】
また、バランス算出部１３２で算出されたＳＮ比が、自動音量調節部１３７によって、上記の基準範囲と比較される（ステップＳ４０３）。
【０１０５】
ＳＮ比が基準範囲内である場合には、テレビジョン２０に対する音量増あるいは音量減の指示は行われずに処理がステップＳ４０３に戻り、ＳＮ比と基準範囲との比較が繰り返される。
【０１０６】
そして、例えば電車やトラックによる騒音、調理や食器洗浄等の家事による騒音といった大きな雑音が発声してＳＮ比が基準範囲の上限を上回ると、自動音量調節部１３７が、テレビジョン２０に対して次のような指示を行う（ステップＳ４０４）。即ち、このステップＳ４０４では、自動音量調節部１３７は、テレビジョン２０に対して音量の増大を、赤外線通信を用いてワイヤレスで指示する。この音量増の指示は、３秒毎に算出されるＳＮ比が上記の目標範囲内の値となった時点で停止する。そして、その停止後は処理がステップＳ４０３に戻る。
【０１０７】
一方、雑音がなくなりテレビジョン２０の大きな音声だけが残されてＳＮ比が基準範囲の下限を下回った場合には、自動音量調節部１３７が、テレビジョン２０に対して音量の低減を、赤外線通信を用いてワイヤレスで指示する（ステップＳ４０５）。ステップＳ４０５での音量減の指示は、基本的には、３秒毎に算出されるＳＮ比が上記の目標範囲内の値となった時点で停止する。ただし、リモコン側測音部１１０で随時に計測されている音量が上記の下限を下回った時には、ＳＮ比が目標範囲内にまだ収まっていなくとも音量減の指示が停止されて逆に音量増が指示される。これは、雑音がほとんど無くてＳＮ比が非常に小さくなっている場合に、テレビジョン２０の音量を下げ過ぎないようにするための配慮である。このときの音量増の指示は、リモコン側測音部１１０で計測されている音量が下限を上回ると停止する。このように、ステップＳ４０５での音量減あるいは音量増の指示が停止されると、処理がステップＳ４０３に戻る。
【０１０８】
以上に説明した自動音量調節の処理によれば、テレビジョン２０の視聴中に、ユーザの周囲で大きな雑音が発生した場合には、ユーザにとって聴き取りやすいレベルまで音量が自動的に増大される。また、音量増大後に雑音が無くなって、そのままではテレビジョン２０の音声が大き過ぎる場合には、聴き取りやすいレベルまで音量が自動的に低減されることとなる。
【０１０９】
図１０は、自動音量調節の処理によるＳＮ比の変化を示したグラフである。
【０１１０】
この図１０に示すグラフＧ１では、横軸に時間がとられ、縦軸にＳＮ比がとられており、自動音量調節の処理の結果としてのＳＮ比の変化が折れ線Ｌ１で記載されている。この折れ線Ｌ１は、自動音量調節の処理の間、上記のバランス算出部１３２で３秒毎に算出されたＳＮ比を実線で繋いだものである。図１０の例では、当初、ＳＮ比が上記の基準バランスとなっている。
【０１１１】
ここで、電車の通過による雑音が発生したとする。雑音は、電車が近づいてくるに従って大きくなり、その結果、ＳＮ比も上昇する。そして、ＳＮ比が、基準範囲の上限（基準バランス＋０，１７６ｄＢ）を超えた時点で、テレビジョン２０に対する音量増の指示が開始される。その結果、ＳＮ比の上昇は頭打ちとなってやがて低下に転ずる。この音量増の指示は、ＳＮ比が、目標範囲の上限（基準バランス＋０．０５ｄＢ）を下回るまで続けられる。
【０１１２】
次に、電車が通り過ぎて雑音が小さくなると、今度は、テレビジョン２０の音声の音量が大き過ぎて、ＳＮ比が基準範囲の下限（基準バランス−０，１７６ｄＢ）を下回る。すると、その時点で、テレビジョン２０に対する音量減の指示が開始される。その結果、ＳＮ比の低下は底を打ってやがて上昇に転ずる。この音量減の指示は、ＳＮ比が目標範囲の下限（基準バランス−０．０５ｄＢ）を上回るまで続けられる。
【０１１３】
ただし、リモコン側測音部１１０で計測される音声の音量が上記の下限（例えば４０ｄＢ）を下回ったときには、ＳＮ比が目標範囲の下限を上回っていなくても音量減の指示が停止され、ＳＮ比が下限を上回るまで音量増が指示される。
【０１１４】
このように、本実施形態の自動音量調節の処理によれば、雑音発生時に、テレビジョン２０が発する音声の音量をユーザが聴き取りやすい音量に自動調節することができる。また、上記の基準範囲や目標範囲は、初期設定処理において、テレビジョン２０の音量がユーザにとって聴き取りやすい音量に調節されたときのＳＮ比を基準バランスとして使って算出される。これにより、自動音量調節の時に用いられる基準範囲や目標範囲が音量についてのユーザの感覚に即したものとなり、ユーザの感覚に即した音量調節が可能となっている。また、テレビジョン２０の音量を下げ過ぎないための下限についても、初期設定処理において、ユーザの所望のレベルに決められるので、この下限の点についてもユーザの感覚に即した音量調節が可能となっている。
【０１１５】
ここで、本実施形態では、自動の音量調節機能を有するリモコン１００に、手動の音量調節機能も組み込まれている。このような手動の音量調節機能を有するリモコン１００は、視聴時にユーザの傍に置かれる確率が高いことから、リモコン１００側で、ユーザが聴いている音声を高い確率で計測することができる。このことは、本件の音量調節システムに対し、以下の応用形態が好適であることを意味している。
【０１１６】
この応用形態では、上記音量調節部が操作音量調節部を有している。操作音量調節部は、上記発音装置が発する音声の音量を、ユーザの操作に応じて通信媒体を介して調節するものである。
【０１１７】
本実施形態における操作音量調節部１３１が、上記の応用形態における操作音量調節部の一例に相当している。
【０１１８】
また、本実施形態では、リモコン１００の位置におけるテレビジョン２０の音声と雑音との音量バランス（ＳＮ比）が基準範囲から外れている場合に、音量調節が行われる。これにより、ユーザが不快に感ずるときに限定して音量調節が実行されることとなり、処理の効率化が図られている。このことは、本件の音量調節システムに対し、以下の応用形態が好適であることを意味している。
【０１１９】
この応用形態では、上記音量調節部が、バランス算出部と基準範囲記憶部と調節部と調節開始部とを有している。バランス算出部は、上記音声受信部で受信された第１音声および上記音声計測部で計測された混合音声に基づいて、その混合音声における上記音量バランスを算出するものである。基準範囲記憶部は、上記音量バランスについて、上記基準バランスを含む基準範囲を記憶するものである。調節部は、上記発音装置が発する音声の音量を、上記混合音声における音量バランスが上記基準バランスに近づくように調節するものである。調節開始部は、上記バランス算出部が算出した音量バランスが上記基準範囲から外れた場合に、上記調節部に音量の調節を開始させるものである。
【０１２０】
本実施形態におけるバランス算出部１３２が、この応用形態におけるバランス算出部の一例に相当する。また、本実施形態における記憶部１３３が、この応用形態における基準範囲記憶部の一例に相当する。また、本実施形態における自動音量調節部１３７が、この応用形態における調節部と調節開始部とを兼ねた一例に相当する。
【０１２１】
また、本実施形態では、リモコン１００の位置におけるテレビジョン２０の音声と雑音との音量バランスとして上記のＳＮ比が使われている。即ち、本実施形態では、音量バランスを示す指標として音量そのものではなく比率が用いられている。これにより、雑音の音量がどのような大きさであれ、テレビジョン２０の音量を、そのような雑音環境下でユーザが聴き取りやすい音量に確実に調節することができる。このことは、音量調節部がバランス算出部と基準範囲記憶部と調節部と調節開始部とを有している上記の応用形態に対し、以下の応用形態がさらに好適であることを意味している。
【０１２２】
この応用形態では、上記バランス算出部が、上記音量バランスとして、上記混合音声における上記第２音声の音量とその混合音声における上記第１音声の音量との比率を算出するものとなっている。
【０１２３】
本実施形態におけるバランス算出部１３２は、この応用形態におけるバランス算出部の一例にも相当している。
【０１２４】
また、本実施形態では、初期設定処理において、テレビジョン２０からの音声がリモコン１００の位置まで伝搬する際の減衰分を表す係数が求められる。そして、観測装置２００から伝えられた、テレビジョン２０直近の音声の音量にこの係数が乗じられたものが、リモコン１００の位置におけるテレビジョン２０の音声の音量として扱われる。これにより、リモコン１００の位置におけるテレビジョン２０の音声の音量と雑音の音量とが、上記の減衰分を考慮に入れて高い精度で求められることとなる。このことは、音量調節部がバランス算出部と基準範囲記憶部と調節部と調節開始部とを有している上記の応用形態に対し、以下の応用形態がさらに好適であることを意味している。
【０１２５】
この応用形態では、上記音量調節部が、係数算出部と係数記憶部とを有している。係数算出部は、ユーザから初期設定を指示する操作を受けて、上記音声計測部にその操作時の混合音声を計測させるとともに、上記音量受信部にその操作時の第１音声を受信させる。そして、係数算出部は、その計測された混合音声の音量を、その受信された第１音声の音量で除した係数を初期設定値として算出する。係数記憶部は、上記係数算出部で算出された係数を記憶するものである。また、この応用形態では、上記バランス算出部が、上記音量受信部で受信された第１音声の音量に上記係数を乗じた音量を、上記混合音声における上記第１音声の音量として扱うことで上記音量バランスを算出するものとなっている。
【０１２６】
本実施形態における係数決定部１３５が、この応用形態における係数算出部の一例に相当する。また、本実施形態における記憶部１３３は、この応用形態における係数記憶部の一例にも相当している。また、本実施形態におけるバランス算出部１３２は、この応用形態におけるバランス算出部の一例にも相当している。
【０１２７】
また、本実施形態では、自動音量調節部１３７は、バランス算出部１３２で、目標範囲内のＳＮ比が算出されるまでテレビジョン２０に対して音量の増減が指示される。この目標範囲は、初期設定処理で予め決められた基準バランスを含む狭い範囲となっている。これにより、テレビジョン２０の音量を、この基準バランスに近づけるように精密に調節することができる。このことは、音量調節部がバランス算出部と基準範囲記憶部と調節部と調節開始部とを有している上記の応用形態に対し、以下の応用形態がさらに好適であることを意味している。
【０１２８】
この応用形態では、上記音量調節部が、上記基準バランスを含むが上記基準範囲よりも狭い目標範囲を記憶する目標範囲記憶部を有している。また、この応用形態では、上記調節部は、上記バランス算出部で上記目標範囲内の音声バランスが算出されるまで、上記発音装置が発する音声の音量調節を繰り返すものとなっている。
【０１２９】
本実施形態における記憶部１３３は、この応用形態における目標範囲記憶部の一例にも相当している。また、本実施形態における自動音量調節部１３７は、この応用形態における調節部の一例にも相当している。
【０１３０】
また、本実施形態では、初期設定処理において、音量減の指示に当たっての下限が決められる。これにより、雑音がほとんど無くてＳＮ比が非常に小さくなっている場合に、テレビジョン２０の音量を下げ過ぎないように調節することができる。このことは、音量調節部がバランス算出部と基準範囲記憶部と調節部と調節開始部とを有している上記の応用形態に対し、以下の応用形態がさらに好適であることを意味している。
【０１３１】
この応用形態では、上記音量調節部が、上記音声計測部で計測される混合音声の音量についての下限を記憶する下限記憶部を有している。また、この応用形態では、上記調節部は、上記音量バランスを上記基準バランスに近づけることに優先して、次のような音量調節を行う。即ち、この調節部は、上記音声計測部で計測される混合音声の音量が上記下限以上となるように、上記発音装置が発する音声の音量を調節するものとなっている。
【０１３２】
本実施形態における記憶部１３３は、この応用形態における下限記憶部の一例にも相当している。また、本実施形態における自動音量調節部１３７は、この応用形態における音量調節部の一例にも相当している。
【０１３３】
尚、本実施形態では、通信媒体を介した指示や、通信媒体を介した送信の一例として、赤外線通信や、ブルートゥース（登録商標）によるデータ転送方式を用いたワイヤレスでの指示や送信を例示した。しかしながら、通信媒体を介した指示や、通信媒体を介した送信は、ワイヤレスでの指示や送信に限るものではない。通信媒体を介した指示や、通信媒体を介した送信は、通信ケーブルを介した有線での指示や送信であっても良い。
【０１３４】
また、本実施形態では、「ワイヤレス」での通信の一例として、赤外線通信や、ブルートゥース（登録商標）によるデータ転送方式での無線通信を例示したが、「ワイヤレス」での通信はこれらに限るものではない。「ワイヤレス」での通信は、例えば無線ＬＡＮ（Ｌｏｃａｌ  Ａｒｅａ  Ｎｅｔｗｏｒｋ）による無線通信、ワイヤレスＵＳＢ（Ｕｐｐｅｒ  Ｓｉｄｅ  Ｂａｎｄ）による無線通信等であっても良い。
【０１３５】
また、本実施形態では、本件の音量調節システム及び発音システムの一実施形態として、基準範囲や目標範囲とともに、係数および下限を用いる形態を例示したが、本件の音量調節システム及び発音システムはこれに限るものではない。本件の音量調節システム及び発音システムは、例えば上記範囲のみを用いる形態であっても良く、あるいは、上記範囲とともに、係数と下限とのうちのいずれか１つを用いる形態であっても良い。
【０１３６】
また、本実施形態では、本件の音量調節システム及び発音システムの一実施形態として、基準範囲、目標範囲、係数、下限について初期設定処理においてユーザ操作を受けて記憶部内の値が更新される形態を例示した。しかしながら、本件の音量調節システム及び発音システムはこれに限るものではない。本件の音量調節システム及び発音システムは、例えば上記範囲や係数、下限について、システムの設計時に求めた値を固定値として記憶部に記憶しておいて使い続ける形態であっても良い。
【０１３７】
また、本実施形態では、本件の音量調節システム及び発音システムの一実施形態として、係数決定処理、下限決定処理、範囲決定処理それぞれの終了通知用にＬＥＤ表示部がリモコンに設けられている形態を例示した。しかしながら、本件の音量調節システム及び発音システムはこれに限るものではない。本件の音量調節システム及び発音システムは、例えば、上記の終了通知を知らせるメッセージが表示される小型の表示画面がリモコンに設けられているものであっても良い。あるいは、本件の音量調節システム及び発音システムは、例えば、リモコンから、終了通知を知らせるメッセージの表示がテレビジョンに指示され、そのメッセージがテレビジョンの画面に表示されるものであっても良い。
【０１３８】
以下、本件の音量調節システムおよび発音システムの種々の形態に関し、更に以下の付記を開示する。
【０１３９】
（付記１）
音声信号に基づいた音声を、通信媒体を介した指示によって調節された音量で発する発音装置が発する第１音声を観測する音声観測部と、
前記音声観測部の観測によって得られた第１音声を通信媒体を介して送信する音声送信部とを有する観測装置；および、
前記発音装置が発した第１音声と、該発音装置以外の発生源からの第２音声とが混じった混合音声を計測する音声計測部と、
前記音声送信部から送信されてきた第１音声を受信する音声受信部と、
前記発音装置に通信媒体を介して、前記音声受信部で受信された第１音声および前記音声計測部で計測された混合音声に基づいて指示することにより、該発音装置が発する音声の音量を、指示後の前記混合音声における前記第１音声と前記第２音声との音量バランスが、予め決められた基準バランスに近づくように調節する音量調節部とを有する調節装置；
を備えたことを特徴とする音量調節システム。
【０１４０】
（付記２）
前記音量調節部が、
前記発音装置が発する音声の音量を、ユーザの操作に応じて通信媒体を介して調節する操作音量調節部を有するものであることを特徴とする付記１記載の音量調節システム。
【０１４１】
（付記３）
前記音量調節部が、
前記音声受信部で受信された第１音声および前記音声計測部で計測された混合音声に基づいて、該混合音声における前記音量バランスを算出するバランス算出部と、
前記音量バランスについて、前記基準バランスを含む基準範囲を記憶する基準範囲記憶部と、
前記発音装置が発する音声の音量を、前記混合音声における音量バランスが前記基準バランスに近づくように調節する調節部と、
前記バランス算出部が算出した音量バランスが前記基準範囲から外れた場合に、前記調節部に音量の調節を開始させる調節開始部とを有するものであることを特徴とする付記１又は２記載の音量調節システム。
【０１４２】
（付記４）
前記バランス算出部が、前記音量バランスとして、前記混合音声における前記第２音声の音量と該混合音声における前記第１音声の音量との比率を算出するものであることを特徴とする付記３記載の音量調節システム。
【０１４３】
（付記５）
前記音量調節部が、
ユーザから初期設定を指示する操作を受けて、前記音声計測部に該操作時の混合音声を計測させるとともに、前記音量受信部に該操作時の第１音声を受信させ、その計測された混合音声の音量を、その受信された第１音声の音量で除した係数を初期設定値として算出する係数算出部と、
前記係数算出部で算出された係数を記憶する係数記憶部とを有し、
前記バランス算出部が、前記音量受信部で受信された第１音声の音量に前記係数を乗じた音量を、前記混合音声における前記第１音声の音量として扱うことで前記音量バランスを算出するものであることを特徴とする付記３又は４記載の音量調節システム。
【０１４４】
（付記６）
前記音量調節部が、
前記基準バランスを含むが前記基準範囲よりも狭い目標範囲を記憶する目標範囲記憶部を有するものであり、
前記調節部は、前記バランス算出部で前記目標範囲内の音声バランスが算出されるまで、前記発音装置が発する音声の音量調節を繰り返すものであることを特徴とする付記３から５のうちいずれか１項記載の音量調節システム。
【０１４５】
（付記７）
前記音量調節部が、
前記音声計測部で計測される混合音声の音量についての下限を記憶する下限記憶部を有するものであり、
前記調節部は、前記音量バランスを前記基準バランスに近づけることに優先して、前記音声計測部で計測される混合音声の音量が前記下限以上となるように、前記発音装置が発する音声の音量を調節するものであることを特徴とする付記３から６のうちいずれか１項記載の音量調節システム。
【０１４６】
（付記８）
音声信号に基づいた音声を、通信媒体を介した指示によって調節された音量で発する発音装置；
前記発音装置が発する第１音声を観測する音声観測部と、
前記音声観測部の観測によって得られた第１音声を通信媒体を介して送信する音声送信部とを有する観測装置；および、
前記発音装置が発した第１音声と、該発音装置以外の発生源からの第２音声とが混じった混合音声を計測する音声計測部と、
前記音声送信部から送信されてきた第１音声を受信する音声受信部と、
前記発音装置に通信媒体を介して、前記音声受信部で受信された第１音声および前記音声計測部で計測された混合音声に基づいて指示することにより、該発音装置が発する音声の音量を、指示後の前記混合音声における前記第１音声と前記第２音声との音量バランスが、予め決められた基準バランスに近づくように調節する音量調節部とを有する調節装置；
を備えたことを特徴とする発音システム。
【符号の説明】
【０１４７】
１    発音システム
１Ａ，２００    観測装置
１Ａ＿１    音声観測部
１Ａ＿２，２２０    音声送信部
１Ｂ    調節装置
１Ｂ＿１    音声計測部
１Ｂ＿２，１２０    音声受信部
１Ｂ＿３    音量調節部
２    発音装置
１０    ＴＶシステム
２０    テレビジョン
１００    リモコン
１０１，２０１    制御ＩＣ
１０２    メモリ
１０３    操作ボタン
１０４，２０２    マイクロホン
１０５，２０３    Ａ／Ｄ変換回路
１０６，２０４    無線通信機
１０７    赤外線通信機
１１０    リモコン側測音部
１２０    音声受信部
１３０    音量調節部
１３１    操作音量調節部
１３２    バランス算出部
１３３    記憶部
１３４    範囲決定部
１３５    係数決定部
１３６    下限決定部
１３７    自動音量調節部
２１０    ＴＶ側測音部
【図１】
2012049634.tif 000003
【図２】
2012049634.tif 000004
【図３】
2012049634.tif 000005
【図４】
2012049634.tif 000006
【図５】
2012049634.tif 000007
【図６】
2012049634.tif 000008
【図７】
2012049634.tif 000009
【図８】
2012049634.tif 000010
【図９】
2012049634.tif 000011
【図１０】
2012049634.tif 000012